【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
硬質及び軟質セグメントを有し、薬剤保持特性を有する架橋ブロックコポリマーであって、軟質セグメント間に架橋があることを特徴とする架橋ブロックコポリマー。
【請求項２】
アクリルブロックコポリマーである請求項１記載のブロックコポリマー。
【請求項３】
ブロックポリマーが接着剤である請求項１又は２記載のブロックコポリマー。
【請求項４】
ブロックコポリマーが１又はそれ以上のエンハンサーと結合した場合に接着剤となる請求項３記載のブロックコポリマー。
【請求項５】
Ａ−Ｂ−Ａ構造を有する請求項１から４のいずれか１項記載のブロックコポリマー。
【請求項６】
ＡとＢの一方がアクリル形ポリマー単位である請求項５記載のブロックコポリマー。
【請求項７】
ブロックコポリマーの軟質部分が、アクリル酸アルキルとメタクリル酸アルキルから選択されるモノマー単位を含む請求項１から６のいずれか１項記載のブロックコポリマー。
【請求項８】
モノマー単位が、アクリル酸ｎ−ブチル、メタクリル酸ｎ−ブチル、アクリル酸ヘキシル、アクリル酸２−エチルブチル、アクリル酸イソオクチル、アクリル酸２−エチルヘキシル、メタクリル酸２−エチルヘキシル、アクリル酸デシル、メタクリル酸デシル、アクリル酸ドデシル、メタクリル酸ドデシル、アクリル酸トリデシルとメタクリル酸トリデシル及びその混合物から選択される請求項７記載のブロックコポリマー。
【請求項９】
アクリルブロックコポリマーが、アクリル酸アルキル又はメタクリル酸アルキルコポリマーを少なくとも５０重量％含む請求項７又は８記載のブロックコポリマー。
【請求項１０】
極性モノマーがアクリル酸アルキル又はメタクリル酸アルキルと共重合化される請求項７から９のいずれか１項記載のブロックコポリマー。
【請求項１１】
上記極性モノマーが、アクリル酸ヒドロキシエチル、アクリル酸ヒドロキシプロピル、ビニルピロリドン、アクリルアミド、ジメチルアクリルアミド、アクリロニトリル、ジアセトンアクリルアミド、酢酸ビニル及びその混合物から選択される請求項１０記載のブロックコポリマー。
【請求項１２】
ジアセトンアクリルアミドが少なくとも１の軟質部分の成分である請求項１から１１のいずれか１項記載のブロックコポリマー。
【請求項１３】
接着特性が更なる作用物質によって増大される、接着剤である請求項１から１２のいずれか１項記載のブロックコポリマー。
【請求項１４】
そのエンハンサーがポリエチレングリコール、Ａｚｏｎｅ、ビタミンＥ又は液体パラフィンである請求項１３記載のブロックコポリマー。
【請求項１５】
エンハンサーがラウリルジ−メタノールアミド、モノラウリン酸グリセリン、三酢酸グリセリン又はポリオキシエチレンラウリルエーテルである請求項１３記載のブロックコポリマー。
【請求項１６】
硬質セグメントポリマーが、スチレン、α−メチルスチレン、メタクリル酸メチル、ビニルピロリドン又はその混合物から構成される請求項１から１５のいずれか１項記載のブロックコポリマー。
【請求項１７】
硬質セグメントポリマーが、スチレン及び／又はポリメタクリル酸メチルから構成される請求項１６記載のブロックコポリマー。
【請求項１８】
ブロックコポリマーの硬質部分が全ブロックコポリマーの３−３０重量％から構成される請求項１から１７のいずれか１項記載のブロックコポリマー。
【請求項１９】
ブロックコポリマーの硬質部分が全ブロックコポリマーの５−１５重量％から構成される請求項１８記載のブロックコポリマー。
【請求項２０】
感圧接着剤である請求項１から１９のいずれか１項記載のブロックコポリマー。
【請求項２１】
請求項１から２０のいずれか１項記載のブロックコポリマーを含む経皮パッチ。
【請求項２２】
抗不整脈薬、抗凝固薬、抗糖尿病薬、鎮痙薬、抗真菌薬、抗痛風薬、抗マラリア薬、抗ムスカリン剤、抗腫瘍剤、抗原虫剤、チロイド及び抗チロイド剤、抗不安性鎮静薬及び神経弛緩薬、ベータ遮断薬、骨の代謝に影響を及ぼす薬剤、強心薬、キレート剤、解毒薬とアンタゴニスト、コルチコステロイド、鎮咳薬、去痰薬と粘液溶解薬、皮膚科学的薬剤、利尿薬、胃腸薬、全身及び局所麻酔薬、ヒスタミンＨ１レセプターアンタゴニスト、硝酸塩、ビタミン、オピオイド類似物、副交感神経作用薬、抗喘息薬、筋弛緩薬、刺激薬と食欲抑制薬、交感神経作用薬、甲状腺製剤、キサンチン、脂質調節剤、抗炎症薬、鎮痛薬、抗関節炎薬、鎮痙薬、抗うつ薬、抗精神病薬、トランキライザー、麻酔薬アンタゴニスト、抗パーキンソン病薬、コリン作用薬、抗癌薬、免疫抑制剤、抗ウイルス剤、抗生物質、食欲抑制剤、制吐薬、コリン抑制剤、抗ヒスタミン薬、抗片頭痛薬、冠状、大脳又は末梢血管拡張薬、ホルモン剤、避妊薬、抗血栓薬、利尿薬、抗高血圧症薬及び心血管薬から選択される薬剤を配合した請求項２１記載のパッチ。
【請求項２３】
薬剤がステロイド、又はその塩又はエステルである請求項２２記載のパッチ。
【請求項２４】
薬剤が、エストラジオール、レボノルゲストレル、ノルエチステロン、テストステロン又はその塩又はエステルである請求項２３記載のパッチ。
【請求項２５】
薬剤がニトロ化合物又はその塩又はエステルである請求項２２記載のパッチ。
【請求項２６】
薬剤がニトログリセリン又はイソソルビドニトレート又はその塩又はエステルである請求項２５記載のパッチ。
【請求項２７】
薬剤がニコチン又はスコポラミン又はその塩又はエステルである請求項２５記載のパッチ。
【請求項２８】
薬剤がオキシカム誘導体又はその塩又はエステルである請求項２２記載のパッチ。
【請求項２９】
薬剤がロルノキシカム、ケトプロフェン、フェンタニル、サルブタモール、テルブタリン、セレジリン又はクロニジン又はその塩又はエステルである請求項２８記載のパッチ。
【請求項３０】
硬質と軟質セグメントを有し、該軟質セグメント間に架橋がなされ、薬剤保持特性を有する架橋ブロックコポリマーの製造方法であって、
溶液中で少なくとも１の架橋剤を含むそれぞれの軟質セグメントのモノマー構成成分を重合すること、
次いでそれぞれ得られた溶液に硬質セグメントの構成成分を加えて得られた混合物を重合すること、
何れかの溶媒の留去により架橋すること、
を含み、イニシエーターが該硬質セグメントの構成成分を加える前に加えられる製造方法。
【請求項３１】
ブロックコポリマーが請求項１から２０のいずれか１項記載のブロックコポリマーの特性を有するように製造される請求項３０記載の方法。
【請求項３２】
架橋剤が重合の間に軟質セグメント中に混入するのに適した少なくとも１のモノマーの形態である請求項３０又は３１記載の方法。
【請求項３３】
少なくとも１の架橋剤が、２又はそれ以上のラジカル重合可能な基を有する請求項３２記載の方法。
【請求項３４】
少なくとも１の架橋剤が、ジビニルベンゼン、メチレンビスアクリルアミド、ジ(メタ)アクリル酸エチレングリコール、テトラ(メタ)アクリル酸エチレングリコール、ジ(メタ)アクリル酸プロピレングリコール、ジ(メタ)アクリル酸ブチレングリコール、及びトリ(メタ)アクリル酸トリメチロールプロパンから選択される請求項３２又は３３記載の方法。
【請求項３５】
少なくとも１の架橋剤が、ジメタクリル酸テトラエチレングリコールである請求項３２から３４のいずれか１項記載の方法。
【請求項３６】
架橋剤がブロックコポリマーの０．０１−０．６重量％含まれる請求項３２から３５のいずれか１項記載の方法。
【請求項３７】
架橋剤がブロックコポリマーの０．１−０．４重量％含まれる請求項３２記載の方法。
【請求項３８】
イニシエーターが１，１’−ジ−tert−ブチルペルオキシ−２−メチルシクロヘキサンである請求項３０から３７のいずれか１項記載の方法。
【請求項３９】
イニシエーターがブロックコポリマーの０．００５−０．１重量％の量で用いられる請求項３０から３８のいずれか１項記載の方法。
【請求項４０】
イニシエーターが０．０１−０．０５重量％の量で用いられる請求項３９記載の方法。
【請求項４１】
極性モノマーが、何れかの軟質セグメントのモノマーの５０重量％まで含まれる請求項３０から４０のいずれか１項記載の方法。
【請求項４２】
極性モノマーが、何れかの軟質セグメントのモノマーの１５重量％を越えて含まれる請求項４１記載の方法。